(57)【要約】      （修正有）【課題】見た目が普通の貴金属製品と異ならず、日常的に故人や亡きペットと触れ合い供養することが可能な指輪等のアクセサリー、又は仏具を提供する。【解決手段】故人や亡くなったペット等の身体形成物と貴金属を混合したうえで溶融させ、一体化した貴金属製地金を用いて指輪等のアクセサリーを形成する。故人や亡くなったペット等の遺品、あるいは縁故者の所持物やペットの身の回り品と貴金属を混合したうえで溶融させ、一体化してもよい。また身体形成物や遺品と貴金属を混合したものに、脱炭済のステンレスあるいは脱炭済の鉄を付加して溶融させ、一体化してもよい。【選択図】図１
0003197566.tif 000002
【実用新案登録請求の範囲】
【請求項１】
故人や亡くなったペット等の身体形成物、あるいは縁故者やペットの身体形成物と貴金属を混合したうえで溶融させ、一体化した貴金属製地金。
【請求項２】
故人や亡くなったペット等の遺品、あるいは縁故者の所持物やペットの身の回り品と貴金属を混合したうえで溶融させ、一体化した貴金属製地金。
【請求項３】
脱炭済のステンレスあるいは脱炭済の鉄を付加して溶融させ、一体化した請求項１又は請求項２に記載の貴金属製地金。
【請求項４】
請求項１乃至３いずれかに記載の貴金属製地金を用いて形成した貴金属製品。 
【考案の詳細な説明】
【技術分野】
【０００１】
本考案は貴金属製の地金に関し、より詳しくは故人や亡きペット等の遺骨、遺灰、遺品等、あるいは縁故者やペットの毛髪、爪、皮膚その他身体の一部や関連品を含有する貴金属製地金及び当該地金を用いたアクセサリーや仏具といった構成物に関する。
【背景技術】
【０００２】
ペットロスや親しい縁者の死による大きな精神的苦痛を軽減するため、遺骨の一部を常時携帯することがある。具体的にペンダントトップやチャームとして使用するピルケースやピルケース型の金属ケースに、故人や亡きペットの遺骨、遺灰を収納して手元供養するカロートネックレスなるものが市販されている。
【０００３】
特許文献１には、光硬化型化学合成樹脂と光照射装置により人の毛髪や骨を密封埋封保存したメモリアル装身具が開示されている。
【０００４】
特許文献２には、硬化性を有する成型用樹脂により所定の形状に成型されたアクセサリーに遺骨を埋め込んだ装飾品が開示されている。
【０００５】
特許文献３には、遺灰と、（ａ）コバルト若しくはコバルト化合物、（ｂ）鉄若しくは鉄化合物、（ｃ）ニッケル若しくはニッケル化合物、（ｄ）銅若しくは銅化合物、（ｅ）亜鉛若しくは亜鉛化合物から選ばれる一種又は二種以上の金属粉末若しくは金属化合物よりなる混合粉末の成形体を焼成したセラミックスが開示されている。
【０００６】
特許文献４には、鉄や土器、陶磁器と、故人を偲ぶ装葬品を同時に荼毘に付し、装葬品の表面に故人の遺灰を付着させたことを特徴とする装葬品が開示されている。
【先行技術文献】
【特許文献】
【０００７】
【特許文献１】特開２００６−２５５３６７号公報
【特許文献２】特開２００５−２７７１４号公報
【特許文献３】特開２０００−２８１４２６号公報
【特許文献４】登録実用新案公報第３１４２５２８号
【考案の概要】
【考案が解決しようとする課題】
【０００８】
上記カロートネックレスは、そのケース内部に遺骨等が収納されていることが、他者にも分かることから、心理的圧迫感を与える恐れがある。
【０００９】
そこで本考案は、見た目が普通の貴金属製品と異ならず、しかも日常的に故人や亡きペットと触れ合うことができ、毎日人知れず供養することが可能な貴金属製品及び当該貴金属製品の素材足りうる貴金属製地金を提供することを目的とする。
【００１０】
また、友人や知人、交際相手等の縁故者、或いはペットとの一体感や親密感を感じられる貴金属製品及び当該貴金属製品の素材足りうる貴金属製地金を提供することを目的とする。
【課題を解決するための手段】
【００１１】
上記の目的を達成する本考案の構成は次の通りである。
【００１２】
（１）  請求項１に記載の貴金属製地金は、故人や亡くなったペット等の身体形成物、あるいは縁故者やペットの身体形成物と貴金属を混合したうえで溶融させ、一体化した。
【００１３】
（２）  請求項２に記載の貴金属製地金は、故人や亡くなったペット等の遺品、あるいは縁故者の所持物やペットの身の回り品と貴金属を混合したうえで溶融させ、一体化した。
【００１４】
（３）  請求項３に記載の考案は、請求項１又は請求項２に記載の貴金属製地金において、脱炭済のステンレスあるいは脱炭済の鉄を付加して溶融させ、一体化せしめて地金を形成した。
【００１５】
（４）  請求項４に記載の考案は、請求項１乃至３いずれかに記載の貴金属製地金を用いて形成した貴金属製品である。
【考案の効果】
【００１６】
上記のように構成される本考案が、如何に作用して課題を解決するかを概説する。
【００１７】
本考案に係る貴金属製地金は、貴金属と故人や亡きペット等の身体形成物あるいは故人や亡きペット等の遺品・身の回り品を混合溶融して形成してある。それゆえ、見た目は普通の金属製地金と異ならない。請求項４に記載のアクセサリーや仏具といった構成物は、係る地金を用いて形成してあることから、外観が普通のアクセサリーや仏具、その他の貴金属製品と異ならないものとなりえるのである。
【００１８】
かかる構成物を装身具として身につけ、あるいは仏具として仏壇に備えることで、毎日人知れず供養することが可能となるのである。あるいは、交際相手やペットとの一体感や親密感を日常的に感じらることが可能となるのである。
【００１９】
なお、請求項３に記載の貴金属製地金は、溶融処理の段階で脱炭済のステンレスあるいは脱炭済の鉄を付加している。これは、遺品等には貴金属の融点より沸点が低いものがあり、貴金属が溶融する前に気化してしまう場合、つまり貴金属との混合がなしえない場合の対処方法である。すなわち、脱炭済のステンレス 或いは 脱炭済の鉄に遺品等の炭素を吸着させ、そのステンレスあるいは鉄を貴金属と溶融結合させるものである。
【図面の簡単な説明】
【００２０】
【図１】本考案を指輪として実施した状態の説明図
【考案を実施するための形態】
【００２１】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２２】
請求項１に記載の貴金属製地金は、故人や亡くなったペット等の身体形成物、あるいは縁故者やペットの身体形成物と貴金属を混合したうえで溶融させ、一体化してある。
【００２３】
ここに、故人や亡くなったペット等の身体形成物としては、遺骨や遺毛、爪、皮膚、歯等が使用可能である。縁故者やペットの身体形成物としては、毛髪や皮膚、歯等が使用可能である。
【００２４】
請求項２に記載の貴金属製地金は、故人や亡くなったペット等の遺品、あるいは縁故者の所持物やペットの身の回り品と貴金属を混合したうえで溶融させ、一体化してある。
【００２５】
ここに、故人や亡くなったペット等の遺品、縁故者の所持物やペットの身の回り品としては、衣服、日常的に身に着けていた（いる）もの、大切にしていた（いる）もの、日常的に使用していた（いる）もの等を使用可能である。
【００２６】
請求項１、請求項２における貴金属としては、金（ＡＵ）、銀（Ａｇ）、白金（Ｐｔ）、パラジウム（ＰＤ）等を使用可能である。
【００２７】
請求項１、請求項２における混合、溶融一体化過程は、貴金属と、粉状にした身体形成物や遺品、所持品等（以下、対象物と呼ぶ）を、るつぼ或いはチョコ皿に入れ、熱し溶融させ一体化せしめるものである。
【００２８】
なお、貴金属と一体化せしめる遺品等の対象物の沸点が貴金属の融点より低く、且つ、炭素になる物の場合、粉状にした遺品等に脱炭済のステンレス 或いは 脱炭済の鉄を入れ、るつぼ或いはチョコ皿内にて熱し、溶融一体化させている。
【００２９】
請求項３に記載の溶融方法としては、以下の三パターンがある。すなわち１、脱炭済の鉄又はステンレスに対象物の構成要素（原子）である炭素を吸着させてから貴金属と溶融する。２、脱炭済の鉄又はステンレスに対象物の構成要素（原子）である炭素を吸着させると同時に貴金属と溶融する。３、脱炭済の鉄又はステンレスと貴金属とを溶融させてから、対象物の構成要素（原子）である炭素を吸着させる。
【００３０】
ここに、貴金属と脱炭済のステンレスや脱炭済の鉄が混合しづらい場合は、ロウ材を付加すれば混合可能となる。
【００３１】
貴金属と、対象物の混合方法は、機械を使い均等に混ぜる方法や、槌を使って日本刀の折返し鍛錬と同様に手作業で板状にし、同一化した貴金属を折り曲げ、板状にし、さらに折曲工程を繰り返し、多層にするといった方法を利用可能である。
【００３２】
折返し鍛錬の場合は、日本刀やダマスカスナイフ等に現れる柾目や板目と同様の模様を発現可能なものである。図１は、折返し鍛錬を用いて地金を形成し、当該地金を指輪１に形成した状態を示したものであり、板目２が表面に現れるものである。
【００３３】
他には、銀粘土や金粘土、プラチナ粘土と、遺灰あるいは遺灰を浸炭させた鉄、遺灰を浸炭させたステンレスを混合し、るつぼ或いはチョコ皿内にて熱し、溶融一体化させるといった方法も採用可能である。かかる方法によれば、常温で混合するため、柾目、木目を地金や貴金属製品に表現可能となるものである。
【００３４】
請求項４に記載の考案は、請求項１乃至３いずれかに記載の貴金属製地金を用いて貴金属製品を加工形成してある
加工方法としては、切削加工、ロストワックス法、折返し鍛錬後、槌を用いてそのままアクセサリー等に加工するといった方法が採用可能である。
【００３５】
仕上げはルーターを使い、細部形状を整えるものである。
【００３６】
加工後の貴金属製品としては、ネックレス・指輪・ピアス等のアクセサリーや、おりん等の仏具、その他様々な貴金属製品に加工可能である。
【符号の説明】
【００３７】
１・・指輪
２・・板目
【図１】
0003197566.tif 000003
【手続補正書】
【提出日】平成27年3月14日(2015.3.14)
【手続補正１】
【補正対象書類名】実用新案登録請求の範囲
【補正対象項目名】全文
【補正方法】変更
【補正の内容】
【実用新案登録請求の範囲】
【請求項１】
故人や亡くなったペット等の身体形成物、あるいは縁故者やペットの身体形成物と貴金属を混合したうえで溶融させ、一体化した貴金属製地金を用いて形成したアクセサリー或いは仏具。
【請求項２】
故人や亡くなったペット等の遺品、あるいは縁故者の所持物やペットの身の回り品と貴金属を混合したうえで溶融させ、一体化した貴金属製地金を用いて形成したアクセサリー或いは仏具。
【請求項３】
故人や亡くなったペット等の身体形成物、あるいは縁故者やペットの身体形成物と貴金属を混合したものに、脱炭済のステンレスあるいは脱炭済の鉄を付加して溶融させ、一体化した貴金属製地金を用いて形成したアクセサリー或いは仏具。
【請求項４】
故人や亡くなったペット等の遺品、あるいは縁故者の所持物やペットの身の回り品と貴金属を混合したものに、脱炭済のステンレスあるいは脱炭済の鉄を付加して溶融させ、一体化した貴金属製地金を用いて形成したアクセサリー或いは仏具。